【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
遊技者による発射操作に基づいて、遊技領域に向けて遊技球を発射する発射手段と、
前記遊技領域に配置され、前記遊技球が入球可能な第１始動入球部および第２始動入球部と、
前記第１始動入球部に前記遊技球が入球したことに基づいて第１特別情報を取得すると共に、前記第２始動入球部に前記遊技球が入球したことに基づいて第２特別情報を取得する情報取得手段と、
取得した前記第１特別情報、および前記第２特別情報が付与情報における当否情報群に対応しているか否かの付与判定を実行する付与判定手段と、
前記付与判定手段による付与判定の結果が、判定対象の前記第１特別情報、または前記第２特別情報が前記当否情報群に対応しているとする付与対応結果となると遊技者に特典遊技を付与する特典付与手段と、を備え、
前記付与判定手段は、前記第１特別情報の前記付与判定と前記第２特別情報の前記付与判定とを並列して実行可能であり、
前記特典付与手段は、前記第１特別情報が前記付与対応結果である場合、前記第２特別情報が前記付与対応結果である場合より、遊技者に有利な前記特典遊技を付与し易い遊技機において、
前記第１特別情報に対する前記付与判定を第１抽選遊技とし、前記第２特別情報に対する前記付与判定を第２抽選遊技とすると、
前記第１抽選遊技の結果を第１報知として実行すると共に前記第２抽選遊技の結果を第２報知として実行し、かつ前記第１報知と前記第２報知とを並列して実行可能とされた報知手段と、
前記第１報知の報知時間および前記第２報知の報知時間を選択する報知時間選択手段と、を有し、
前記報知時間選択手段は、前記第１報知の報知時間として、前記第２報知の報知時間より短い時間を選択し易くされていることを特徴とする遊技機。
【請求項２】
前記第２始動入球部は、前記遊技球の流下方向において、前記第１始動入球部よりも下流側に配置されるものであり、
前記第１始動入球部は、通常第１始動入球部と、前記第２始動入球部より前記流下方向における上流側に配置される特別第１始動入球部と、を有し、
前記遊技機は、
前記遊技領域に配置され、開放状態と閉鎖状態との切り替えが可能にされた第１可変入球手段と、
前記遊技領域に配置され、開放状態と閉鎖状態との切り替えが可能にされた第２可変入球手段と、をさらに有し、
前記特典付与手段は、前記第１抽選遊技が前記付与対応結果となった場合に前記第１可変入球手段の開閉制御を実行すると共に、前記第２抽選遊技が前記付与対応結果となった場合に前記第２可変入球手段の開閉制御を実行し、
前記第１可変入球手段は、前記特別第１始動入球部よりも前記流下方向における上流側に配置され、
前記第２可変入球手段は、前記第２始動入球部よりも前記流下方向における下流側に配置されていることを特徴とする請求項１記載の遊技機。
【手続補正２】
【補正対象書類名】明細書
【補正対象項目名】０００２
【補正方法】変更
【補正の内容】
【０００２】
従来より、例えば、パチンコ遊技機等の遊技機においては、遊技領域に設けられた始動口に遊技球が入球したことを契機として、当たり遊技状態等の特典遊技状態に移行させるか否かの抽選が行われる。
【手続補正３】
【補正対象書類名】明細書
【補正対象項目名】０００３
【補正方法】削除
【補正の内容】
【手続補正４】
【補正対象書類名】明細書
【補正対象項目名】０００７
【補正方法】変更
【補正の内容】
【０００７】
上記目的を達成するための請求項１に記載の遊技機は、遊技者による発射操作に基づいて、遊技領域に向けて遊技球を発射する発射手段と、前記遊技領域に配置され、前記遊技球が入球可能な第１始動入球部および第２始動入球部と、前記第１始動入球部に前記遊技球が入球したことに基づいて第１特別情報を取得すると共に、前記第２始動入球部に前記遊技球が入球したことに基づいて第２特別情報を取得する情報取得手段と、取得した前記第１特別情報、および前記第２特別情報が付与情報における当否情報群に対応しているか否かの付与判定を実行する付与判定手段と、前記付与判定手段による付与判定の結果が、判定対象の前記第１特別情報、または前記第２特別情報が前記当否情報群に対応しているとする付与対応結果となると遊技者に特典遊技を付与する特典付与手段と、を備え、前記付与判定手段は、前記第１特別情報の前記付与判定と前記第２特別情報の前記付与判定とを並列して実行可能であり、前記特典付与手段は、前記第１特別情報が前記付与対応結果である場合、前記第２特別情報が前記付与対応結果である場合より、遊技者に有利な前記特典遊技を付与し易いものであり、前記第１特別情報に対する前記付与判定を第１抽選遊技とし、前記第２特別情報に対する前記付与判定を第２抽選遊技とすると、前記第１抽選遊技の結果を第１報知として実行すると共に前記第２抽選遊技の結果を第２報知として実行し、かつ前記第１報知と前記第２報知とを並列して実行可能とされた報知手段と、前記第１報知の報知時間および前記第２報知の報知時間を選択する報知時間選択手段と、を有し、前記報知時間選択手段は、前記第１報知の報知時間として、前記第２報知の報知時間より短い時間を選択し易くされている。
請求項２記載の遊技機は、請求項１記載の遊技機において、前記第２始動入球部は、前記遊技球の流下方向において、前記第１始動入球部よりも下流側に配置されるものであり、前記第１始動入球部は、通常第１始動入球部と、前記第２始動入球部より前記流下方向における上流側に配置される特別第１始動入球部と、を有し、前記遊技機は、前記遊技領域に配置され、開放状態と閉鎖状態との切り替えが可能にされた第１可変入球手段と、前記遊技領域に配置され、開放状態と閉鎖状態との切り替えが可能にされた第２可変入球手段と、をさらに有し、前記特典付与手段は、前記第１抽選遊技が前記付与対応結果となった場合に前記第１可変入球手段の開閉制御を実行すると共に、前記第２抽選遊技が前記付与対応結果となった場合に前記第２可変入球手段の開閉制御を実行し、前記第１可変入球手段は、前記特別第１始動入球部よりも前記流下方向における上流側に配置され、前記第２可変入球手段は、前記第２始動入球部よりも前記流下方向における下流側に配置されている。
【手続補正５】
【補正対象書類名】明細書
【補正対象項目名】０００８
【補正方法】変更
【補正の内容】
【０００８】
請求項１記載の遊技機によれば、遊技者による発射操作に基づいて、遊技領域に向けて遊技球を発射する発射手段と、前記遊技領域に配置され、前記遊技球が入球可能な第１始動入球部および第２始動入球部と、前記第１始動入球部に前記遊技球が入球したことに基づいて第１特別情報を取得すると共に、前記第２始動入球部に前記遊技球が入球したことに基づいて第２特別情報を取得する情報取得手段と、取得した前記第１特別情報、および前記第２特別情報が付与情報における当否情報群に対応しているか否かの付与判定を実行する付与判定手段と、前記付与判定手段による付与判定の結果が、判定対象の前記第１特別情報、または前記第２特別情報が前記当否情報群に対応しているとする付与対応結果となると遊技者に特典遊技を付与する特典付与手段と、を備え、前記付与判定手段は、前記第１特別情報の前記付与判定と前記第２特別情報の前記付与判定とを並列して実行可能であり、前記特典付与手段は、前記第１特別情報が前記付与対応結果である場合、前記第２特別情報が前記付与対応結果である場合より、遊技者に有利な前記特典遊技を付与し易いものであり、前記第１特別情報に対する前記付与判定を第１抽選遊技とし、前記第２特別情報に対する前記付与判定を第２抽選遊技とすると、前記第１抽選遊技の結果を第１報知として実行すると共に前記第２抽選遊技の結果を第２報知として実行し、かつ前記第１報知と前記第２報知とを並列して実行可能とされた報知手段と、前記第１報知の報知時間および前記第２報知の報知時間を選択する報知時間選択手段と、を有し、前記報知時間選択手段は、前記第１報知の報知時間として、前記第２報知の報知時間より短い時間を選択し易くされている。これにより、遊技者の遊技への関心を向上させることができるという効果がある。
請求項２記載の遊技機によれば、請求項１記載の遊技機の奏する効果に加え、次の効果を奏するものである。即ち、前記第２始動入球部は、前記遊技球の流下方向において、前記第１始動入球部よりも下流側に配置されるものであり、前記第１始動入球部は、通常第１始動入球部と、前記第２始動入球部より前記流下方向における上流側に配置される特別第１始動入球部と、を有し、前記遊技機は、前記遊技領域に配置され、開放状態と閉鎖状態との切り替えが可能にされた第１可変入球手段と、前記遊技領域に配置され、開放状態と閉鎖状態との切り替えが可能にされた第２可変入球手段と、をさらに有し、前記特典付与手段は、前記第１抽選遊技が前記付与対応結果となった場合に前記第１可変入球手段の開閉制御を実行すると共に、前記第２抽選遊技が前記付与対応結果となった場合に前記第２可変入球手段の開閉制御を実行し、前記第１可変入球手段は、前記特別第１始動入球部よりも前記流下方向における上流側に配置され、前記第２可変入球手段は、前記第２始動入球部よりも前記流下方向における下流側に配置されている。これにより、遊技者の遊技への関心を向上させることができるという効果がある。
【手続補正６】
【補正対象書類名】明細書
【補正対象項目名】０９１１
【補正方法】変更
【補正の内容】
【０９１１】
特徴Ｂ１４によれば、第１抽選遊技の特定対応結果が確定した場合には、第２抽選遊技の特定対応結果が確定した場合より、特定領域に遊技球が入球し難くされている。つまり、特徴Ｂ１３の構成を備える場合には、第１抽選遊技の特定対応結果が確定して特定領域が開放され易いが、特定領域を遊技球が通過して特典遊技が付与され難くなる。そして、第１抽選遊技または第２抽選遊技が付与対応結果となった場合の方が、特定領域を通過した場合より遊技者にとって有利な特典遊技が付与され易くなっている。このため、遊技の多様化を図りつつ、遊技者にとって有利な特定遊技が付与され易い構成とでき、遊技者の遊技への関心を向上できる。
＜その他＞
従来より、例えば、パチンコ遊技機等の遊技機においては、遊技領域に設けられた始動口に遊技球が入球したことを契機として、当たり遊技状態等の特典遊技状態に移行させるか否かの抽選が行われる。また、例えば、遊技領域に設けられた表示装置では、上記抽選が行われたことに基づいて絵柄の変動表示が実行される。そして、抽選結果が特典遊技状態への移行に当選するものである場合には、１遊技回分の表示演出が実行された後等において、例えば、遊技領域に設けられた可変入球装置の開閉が実行され、可変入球装置への入球数に応じた遊技球の払出が実行される。
また、このような遊技機においては、遊技領域に第１始動口および第２始動口という異なる始動口を設け、第１始動口または第２始動口に遊技球が入球したことを契機として、特典遊技状態に移行させるか否かの抽選を行うものも提案されている。この場合、第１始動口に遊技球が入球したことを契機とした抽選と、第２始動口に遊技球が入球したことを契機とした抽選とを並列して（同時に）実行する遊技機も提案されている（例えば、特許文献１：特開２００５−３１９２２１号公報）。
ところで、このような遊技機では、遊技者の遊技への関心をさらに向上させることが望まれている。
本技術的思想は上記点に鑑み、遊技者の遊技への関心を向上させることができる遊技機を提供することを目的とする。
＜手段＞
上記目的を達成するための技術的思想１の遊技機は、遊技者による発射操作に基づいて、遊技領域に向けて遊技球を発射する発射手段と、遊技領域に配置され、遊技球が入球可能な第１始動入球部および第２始動入球部と、第１始動入球部に遊技球が入球したことに基づいて第１特別情報を取得すると共に、第２始動入球部に遊技球が入球したことに基づいて第２特別情報を取得する情報取得手段と、取得した第１特別情報、および第２特別情報が付与情報における当否情報群に対応しているか否かの付与判定を実行する付与判定手段と、付与判定手段による付与判定の結果が、判定対象の第１特別情報、または第２特別情報が当否情報群に対応しているとする付与対応結果となると遊技者に特典遊技を付与する特典付与手段と、を備え、付与判定手段は、第１特別情報の付与判定と第２特別情報の付与判定とを並列して実行し、特典付与手段は、第１特別情報が付与対応結果である場合、第２特別情報が付与対応結果である場合より、遊技者に有利な特典遊技を付与し易い遊技機において、第１特別情報に対する付与判定を第１抽選遊技とし、第２特別情報に対する付与判定を第２抽選遊技とすると、第１抽選遊技の結果を第１報知として実行すると共に第２抽選遊技の結果を第２報知として実行し、かつ第１報知と第２報知とを並列して実行可能とされた報知手段と、第１報知の報知時間および第２報知の報知時間を選択する報知時間選択手段と、を有し、報知時間選択手段は、第１報知の報知時間として、第２報知の報知時間より短い時間を選択し易くされていることを特徴としている。
＜効果＞
これによれば、第１抽選遊技と第２抽選遊技とが並列して（同時に）実行されるため、抽選遊技の効率化を図ることができる。また、第１報知の報知時間として第２報知の報知時間より短い時間が選択され易いため、単位時間（例えば、１分間）内の第１抽選遊技の実行回数が第２抽選遊技の実行回数より多くなり易い構成とできる。つまり、付与対応結果となった際、遊技者にとって有利な特典遊技が付与され易い第１抽選遊技の実行回数が多くなり易い構成とできる。したがって、遊技者の遊技への関心を向上できる。